(57)【要約】  【課題】  少なくとも殺菌作用を有する薬剤の溶解液の届かない箇所でもヌメリが生じ難いようにできる流しの排水機構を提供することである。  【解決手段】  流し２の排水口３に設置されている合成樹脂製のゴミ受けカゴ４と、このゴミ受けカゴ４を覆う状態で前記排水口３の上部に設けられる合成樹脂製またはゴム製の菊割れフタ１と、この菊割れフタ１に対し着脱自在に設置され、流しのシンクＡに水を溜めるための合成樹脂製の菊割れフタ被覆用蓋３０とを備えた流しの排水機構において、前記ゴミ受けカゴ４、菊割れフタ１、菊割れフタ被覆用蓋３０のうち少なくとも一つの部材が、バイオフィルムの形成を阻害する薬剤又は抗菌作用を有する薬剤を添加して形成されている。【選択図】          図１
2006233511.tif 000002
【特許請求の範囲】
【請求項１】
流しの排水口に設置されている合成樹脂製のゴミ受けカゴと、このゴミ受けカゴを覆う状態で前記排水口の上部に設けられる合成樹脂製またはゴム製の菊割れフタと、この菊割れフタに対し着脱自在に設置され、流しのシンクに水を溜めるための合成樹脂製の菊割れフタ被覆用蓋とを備えた流しの排水機構において、前記ゴミ受けカゴ、菊割れフタ、菊割れフタ被覆用蓋のうち少なくとも一つの部材が、バイオフィルムの形成を阻害する薬剤又は抗菌作用を有する薬剤を添加して形成されていることを特徴とする流しの排水機構。
【請求項２】
流しの排水口に設置されている合成樹脂製のゴミ受けカゴと、このゴミ受けカゴを覆う状態で前記排水口の上部に設けられ、前記ゴミ受けカゴに溜まるゴミをかくすための合成樹脂製のゴミかくし用蓋とを備えた流しの排水機構において、前記ゴミ受けカゴ、ゴミかくし用蓋の少なくともいずれか一方が、バイオフィルムの形成を阻害する薬剤又は抗菌作用を有する薬剤を添加して形成されていることを特徴とする流しの排水機構。
【請求項３】
前記バイオフィルムの形成を阻害する薬剤の添加量は１〜３重量％であり、前記抗菌作用を有する薬剤の添加量は２〜１０重量％である請求項１または２に記載の流しの排水機構。
【請求項４】
菊割れフタ被覆用蓋および／またはゴミかくし用蓋が生ゴミや下水からの異臭を消す消臭作用を有する薬剤を添加して形成されている請求項１〜３のいずれかに記載の流しの排水機構。
【発明の詳細な説明】
【技術分野】
【０００１】
この発明は、流しの排水機構に関するものである。
【背景技術】
【０００２】
図１０、図１１に示すように、流し７０の排水口７０ａには、例えば、下流側が排水パイプに接続するよう取り付けられた合成樹脂製のラップ付ゴミ受けカゴ収容容器７１と、この収容容器７１に着脱自在に収容される合成樹脂製のゴミ受けカゴ７２と、このゴミ受けカゴ７２を覆うよう、前記収容容器７１の上部にはめ込まれて使用される合成樹脂製の菊割れフタ７３とが設けられている。図１０は菊割れフタ７３を装着していない状態を示している。菊割れフタ７３は、底部に複数の菊割れ舌片７４を有し、例えば底部の中心部分に小さな排水用丸孔７５を有するとともに、メッシュ状のゴミ受けカゴ７２に連通する複数の小さな排水用長孔７６を有して前記カゴ７２内に溜まるゴミが見え難い形状をしている。
【０００３】
ところで、菊割れフタ７３に対し着脱自在に設置される菊割れフタ用薬剤設置部材７８として、下記特許文献１に示すものがある。この菊割れフタ用薬剤設置部材７８は、図１２に示すように、リング状で、例えば、薄肉の上リング部材７９と薄肉の下リング部材８０を接合することにより形成されており、菊割れフタ７３に対し着脱自在に設置される。８１は、上リング部材７９と下リング部材８０の接合面を示している。下リング部材８０は、菊割れフタ７３の環状枠部７３ａの内周面ｉに係止する複数の係止片８２を円周方向に適宜間隔をおいて外周面に有する。また、菊割れフタ用薬剤設置部材７８は、殺菌作用を有する薬剤、あるいは、前記ゴミ受けカゴ７２内や菊割れフタ７３に溜まった生ゴミや下水からの異臭を消す消臭作用を有する薬剤（以下単に薬剤という）（図示せず）を収容する複数の収容部８３を有し、各収容部８３を排水用長孔７６に位置させながら、係止片８２を菊割れフタ７３の内周面ｉに食い込ませることで菊割れフタ７３の内側に菊割れフタ用薬剤設置部材７８を弾性的に嵌合保持させている。そして、前記収容部８３は、排水による薬剤の溶解を安定させるために当該収容部８３内に流入する排水の流入孔８４を、当該収容部８３内から流出する薬剤の溶解液が流出孔８５よりも低い位置に有するよう構成されており、それによって、菊割れフタ７３とゴミ受けカゴ７２を殺菌してヌメリを除去できる。
【特許文献１】特許第３５２００７３号公報
【０００４】
すなわち、流しの排水は、菊割れフタ７３の底部に形成されている排水用長孔７６を経てゴミ受けカゴ７２に至る。このとき、流しの排水は、各収容部８３の排水流入孔８４に流入して薬剤の一部を溶解させるとともに、排水流入孔８４に流入する排水の勢いにて、菊割れフタ用薬剤設置部材７８の径方向外側で、排水流入孔８４よりも高い位置にある溶解液流出孔８５から溶解液が菊割れフタ７３の底部に至り、排水用長孔７６を経てゴミ受けカゴ７２に至るとともに、菊割れ舌片７４上に排水の一部が滞留する。そのため、ゴミ受けカゴ７２に付着している生ゴミ、あるいは、下水からの異臭を消すことができたり、ゴミ受けカゴ７２の殺菌を行って、ゴミ受けカゴ７２に付着しているヌメリを除去できるとともに、このゴミ受けカゴ７２上部に設けられる菊割れフタ７３に付着している生ゴミ、あるいは、下水からの異臭を消すことができたり、菊割れフタ７３の殺菌を行って、菊割れフタ７３に付着しているヌメリを除去できる。そして、一旦排水が無くなった状態では、つまり、収容部８３内に排水が流入しなくなった状態では、先に収容部８３内に流入し溜まった排水によって薬剤の一部は溶解しており、しかも、収容部８３内に排水が溜まっているので、溶解液は飽和液になり易くなり、薬剤の溶解が安定する。この状態で排水があると、飽和溶解液を薄める形で、かつ、飽和溶解液に混じって溶解液が溶解液流出孔８５から流出する。よって、ゴミ受けカゴ７２４、菊割れフタ７３に付着している生ゴミ、あるいは、下水からの異臭を効果的に消すことができたり、ゴミ受けカゴ７２、菊割れフタ７３の殺菌を効果的に行え、ゴミ受けカゴ７２、菊割れフタ７３に付着しているヌメリを効果的に除去できる。
【０００５】
また、菊割れフタ７３の底部上には、菊割れフタ用薬剤設置部材７８を菊割れフタ７３から取り外した状態で、図１３，１４に示すように、菊割れフタ７３の上方開口ｍを覆うよう合成樹脂製の蓋８６が設置される場合がある。この蓋８６は、平面視円形の蓋天板８７と、蓋天板８７の外周縁から下方に連設された環状の垂下板８８とで構成される。この垂下板８８の外周面は、蓋８６が菊割れフタ７３の底部上に設置されるときに、環状枠部７３ａの内周面ｉにシール可能に嵌込まれるよう下へ行くほど小径になるよう傾斜するテーパ面に形成されている。そのため、前記排水用長孔７６および丸孔７５から漏れることなく、流し７０のシンクＡに水、湯または混合水を溜めることができる。
【０００６】
また、菊割れフタ７３の前記環状枠部７３ａは、図１５に示すように、縦断面略くし型形状をなし、同心円状で下向きに形成された例えば二つの環状溝９０，９１を介して隣接している三つのリング部９２，９３，９４を有する。この三つのリング部９２，９３，９４によって、流しの排水口７０ａの径が三種類（例えばΦ１５０ｍｍ，Φ１４２ｍｍ，Φ１３４ｍｍ）ある場合に対応できる。
【発明の開示】
【発明が解決しようとする課題】
【０００７】
しかし、例えば菊割れフタ７３では、上述したような菊割れフタ７３の形状と菊割れフタ７３への菊割れフタ用薬剤設置部材７８の設置位置との関係から、菊割れフタ７３には薬剤の溶解液が流れ難い箇所がある。例えば環状枠部７３ａの二つの環状溝９０，９１のヌメリを溶解液によって除去するのは難しく、不衛生であり、その対策が望まれていた。
【０００８】
この発明は、上述の事柄に留意してなされたもので、その目的は、少なくとも殺菌作用を有する薬剤の溶解液の届かない箇所でもヌメリが生じ難いようにできる流しの排水機構を提供することである。
【課題を解決するための手段】
【０００９】
上記目的を達成するために、この発明の流しの排水機構は、流しの排水口に設置されている合成樹脂製のゴミ受けカゴと、このゴミ受けカゴを覆う状態で前記排水口の上部に設けられる合成樹脂製またはゴム製の菊割れフタと、この菊割れフタに対し着脱自在に設置され、流しのシンクに水を溜めるための合成樹脂製の菊割れフタ被覆用蓋とを備えた流しの排水機構において、前記ゴミ受けカゴ、菊割れフタ、菊割れフタ被覆用蓋のうち少なくとも一つの部材が、バイオフィルムの形成を阻害する薬剤又は抗菌作用を有する薬剤を添加して形成されていることを特徴としている（請求項１）。
【００１０】
また、この発明の流しの排水機構は、流しの排水口に設置されている合成樹脂製のゴミ受けカゴと、このゴミ受けカゴを覆う状態で前記排水口の上部に設けられ、前記ゴミ受けカゴに溜まるゴミをかくすための合成樹脂製のゴミかくし用蓋とを備えた流しの排水機構において、前記ゴミ受けカゴ、ゴミかくし用蓋の少なくともいずれか一方が、バイオフィルムの形成を阻害する薬剤又は抗菌作用を有する薬剤を添加して形成されていることを特徴とする流しの排水機構を提供する（請求項２）。
【００１１】
ここでバイオフィルムとは、微生物が排出するスライムで囲まれた微生物の集合体で、ヌメリの薄膜である。このバイオフィルムの形成を阻害すればヌメリ発生防止に大きな効果が得られる。そして、バイオフィルムの形成を阻害する薬剤としては、例えばダイマー３８（商品名；イヌイ株式会社製）があり、これは有害なガスを発生することがなく人体に対しては安全性が高い。このバイオフィルムの形成を阻害する薬剤は、第４アンモニウム塩を主たる成分としている。
【００１２】
また、この発明では、抗菌作用を有する薬剤として、例えば東亜合成株式会社製のカビノン（商標）を用いた。これは、イソチアゾリン系有機剤とシリカ系無機剤のハイブリッド（複合）材料を含むものである。
【００１３】
そして、前記各薬剤の添加量および菊割れフタ、菊割れフタ被覆用蓋、ゴミ受けカゴ、ゴミかくし用蓋の原料を含む各種の条件を変えることによりこれら部材を形成し、これらについての抗菌効果の有無を本発明者らは鋭意研究した。
【００１４】
その結果、菊割れフタを例に挙げると、以下のことが分かった。すなわち、菊割れフタの主たる原料である例えばエチレン・プロピレン・ジエン系ゴム（ＥＰＤＭ）に前記薬剤を添加する。
【００１５】
（Ａ）まず、前記バイオフィルムの形成を阻害する薬剤の場合、その添加量を重量比で、１〜３％に設定することで、充分効果のあることを本発明者らは見出した。
ここで、前記バイオフィルムの形成を阻害する薬剤の添加量の上限値を重量比で３％にしたのは、前記添加量が３％よりも多ければ、菊割れフタの主たる原料に前記バイオフィルムの形成を阻害する薬剤が均一に混ざり難くなるからである。
また、前記バイオフィルムの形成を阻害する薬剤の添加量の下限値を重量比で１％にしたのは、１％よりも少なければバイオフィルムの形成を阻害する効果が低下し易くなるからである。
また、例えばポリプロピレン（ＰＰ）を主たる原料とするゴミ受けカゴ、菊割れフタ被覆用蓋、ゴミかくし用蓋についても同様の結果が得られることを本発明者らは確認した。
【００１６】
（Ｂ）次に、菊割れフタを例に挙げると、前記抗菌作用を有する薬剤の場合、その添加量を重量比で２〜１０％に設定することで、充分効果のあることを本発明者らは見出した。  ここで、前記抗菌作用を有する薬剤の添加量の上限値を重量比で１０％にしたのは、１０％よりも多ければ菊割れフタの主たる原料に前記抗菌作用を有する薬剤が均一に混ざり難くなるからである。
また、前記抗菌作用を有する薬剤の添加量の下限値を重量比で２％にしたのは、２％よりも少なければ抗菌効果が低下し易くなるからである。  
また、例えばポリプロピレン（ＰＰ）を主たる原料とするゴミ受けカゴ、菊割れフタ被覆用蓋、ゴミかくし用蓋についても同様の結果が得らることを本発明者らは確認した。
【発明の効果】
【００１７】
この発明では、合成樹脂製のゴミ受けカゴ、合成樹脂製またはゴム製の菊割れフタ、合成樹脂製の菊割れフタ被覆用蓋のうち少なくとも一つの部材が、バイオフィルムの形成を阻害する薬剤又は抗菌作用を有する薬剤を添加して形成されているので、前記三者の部材のうち少なくとも一つの部材については、菊割れフタ用薬剤設置部材やゴミ受けカゴ用薬剤設置部材あるいは蓋用薬剤設置部材に収容される少なくともヌメリ除去作用を有する薬剤の溶解液の届かない箇所にヌメリが生じ難いようにできる。また、菊割れフタ用薬剤設置部材やゴミ受けカゴ用薬剤設置部材あるいは蓋用薬剤設置部材を設けない場合でも、前記三者の部材のうち少なくとも一つの部材には長年にわたりヌメリを付着し難くでき、前記一つの部材は衛生的であるとともに、前記一つの部材を洗浄するときも他の二つの部材に比べて洗浄作業を迅速にでき、また、前記一つの部材を長持ちさせることができる。
【００１８】
また、この発明では、前記ゴミ受けカゴ、合成樹脂製のゴミかくし用蓋の少なくともいずれか一方が、バイオフィルムの形成を阻害する薬剤又は抗菌作用を有する薬剤を添加して形成されているので、前記ゴミ受けカゴ、ゴミかくし用蓋のうち少なくとも一つの部材については、ゴミ受けカゴ用薬剤設置部材あるいは前記蓋用薬剤設置部材に収容される少なくともヌメリ除去作用を有する薬剤の溶解液の届かない箇所でもヌメリが生じ難いようにできる。また、ゴミ受けカゴ用薬剤設置部材あるいは前記蓋用薬剤設置部材を設けない場合でも、前記両者のうち少なくとも一つの部材には長年にわたりヌメリを付着し難くくでき、前記一方の部材は衛生的であるとともに、前記一方の部材を洗浄するときも他の部材にに比べて洗浄作業を迅速にでき、また、前記一方の部材を長持ちさせることができる。
【発明を実施するための最良の形態】
【００１９】
以下、この発明の実施形態を、図を参照しながら説明する。なお、それによってこの発明は限定されるものではない。
【００２０】
図１〜８は、菊割れフタ用薬剤設置部材を設けたこの発明の一実施例を示す。この実施例と従来例との相違点は、流しの排水口に設置される合成樹脂製のゴミ受けカゴと、このゴミ受けカゴを覆う状態で前記排水口の上部に設けられる合成樹脂製またはゴム製の菊割れフタと、この菊割れフタに対し着脱自在に設置され、流しのシンクに水、湯または混合水を溜めるための合成樹脂製の菊割れフタ被覆用蓋が、従来では、例えばポリプロピレン（ＰＰ）やエチレン・プロピレン・ジエン系ゴム（ＥＰＤＭ）に着色剤を含ませて形成されていたのに対し、この実施例においては、さらにバイオフィルムの形成を阻害する薬剤又は抗菌作用を有する薬剤を適宜の量だけ添加してこれら三つの部材を形成した点である。
【００２１】
図１〜図８において、１は、ゴム製の菊割れフタで、流し２の排水口３にはめ込まれるポリプロピレン製のゴミ受けカゴ４の上部に設けられる。菊割れフタ１は、複数の菊割れ舌片５で構成される平面視円形の底部６と、上方開口７を形成する環状枠部８とより主としてなる。前記底部６は、中心部に丸孔９を有するとともに、ゴミ受けカゴ４に連通する複数の排水用長孔１０を中心部から離れた環状枠部８の側に有する。そして、排水用長孔１０は、円周方向よりも径方向に長い。菊割れフタ１の前記環状枠部８は、縦断面略くし型形状をなし、同心円状で下向きに形成された例えば二つの環状溝８ｃ，８ｄ（図２参照）を介して隣接している三つのリング部ｒ，ｓ，ｔを有する。この三つのリング部ｒ，ｓ，ｔによって、流しの排水口３の径が三種類（例えばΦ１５０ｍｍ，Φ１４２ｍｍ，Φ１３４ｍｍ）ある場合に対応できる。
【００２２】
１２は、菊割れフタ用薬剤設置部材で、抗菌又は殺菌作用を有する薬剤、あるいは、前記ゴミ受けカゴ４内や菊割れフタ１に溜まった生ゴミや下水からの異臭を消す消臭作用を有する薬剤（以下単に薬剤という）１３と、菊割れフタ１に対し着脱自在に設置されるリング体１４とから構成されている。このリング体１４は、弾性変形可能な合成樹脂よなり、上リング部１５および下リング部１６を接合することにより形成されている。例えば図３におけるＥは、その接合面を示している。前記リング体１４は、前記薬剤１３を収容する複数の収容部１７を有し、また、前記下リング部１６の外周面Ｑから径方向外側に放射状に突出する複数の係止片１８を有する。前記各係止片１８は、外周面Ｑから径方向外側に突出した例えば二つの突起１８ａ，１８ｂによって構成される。そして、前記各収容部１７をそれぞれ、菊割れフタ１の底部６に形成された複数の排水用長孔１０に位置させながら、かつ、前記複数の係止片１８の各先端部分１９を菊割れフタ１の環状枠部８の内周面８ａに食い込ませて複数の係止片１８を環状枠部８に係止させることで菊割れフタ用薬剤設置部材１２は菊割れフタ１の内側に弾性的に嵌合保持された状態でに設置される。各収容部１７は、当該収容部１７内に流入する排水の流入孔２０と当該収容部１７内から流出する薬剤溶解液の流出孔２１を有するとともに、前記各収容部１７は、流入孔２０から当該収容部１７に流入し溜まった排水によって予め前記薬剤１３の一部を溶解させるよう構成されている。  
【００２３】
前記下リング部１６は、図６に示すように外側上面に凹所２２を有する。この凹所２２とこれの直上に位置する上リング部１５の外側下面部分２３とで前記溶解液流出孔２１を構成する。各収容部１７は、袋状で、一個の薬剤１３が収容可能な空間を有する大きさに形成されて係止片１８，１８間に位置している。収容部１７は、当該収容部１７に流入し溜まった排水によって予め薬剤１３の一部を溶解させる。すなわち、下リング部１６は、薬剤１３を載置するとともに収容するトレイ２５を有する。このトレイ２５は、リング体１４の中心側からみてほぼＵ字形で、一個の薬剤１３を載置するとともに収容可能な凹み部２６を有する。一方、上リング部１５は、前記トレイ２５を上方から覆うトレイカバー体２７を有する。そして、前記収容部１７は、前記トレイ２５とトレイカバー体２７よりなり、トレイカバー体２７は、内側側面に複数の縦方向に長いスリット状の前記排水流入孔２０を有する。すなわち、前記収容部１７は、排水の流入孔２０を内側面下部に有するとともに、排水流入孔２０から収容部１７内に流入し溜まった排水によって収容部１７内の薬剤１３の一部を溶解してなる溶解液の流出孔２１を排水流入孔２０の高さ位置よりも高い外側面上部に有するとともに、菊割れフタ用薬剤設置部材１２が菊割れフタ１の内側に設置されたときは、収容部１７は排水用長孔１０に位置しており、かつ、溶解液の流出孔２１は、菊割れフタ１の底部６より上方に位置する。なお、排水流入孔２０の直上流側に設けられて排水を通過させるとともに、排水に混じって収容部１７に流れてくるゴミによる排水流入孔２０の目詰まりを防止する複数のスリットを収容部１７に形成するのが好ましい。
【００２４】
前記各係止片１８は前記先端部分１９が前記上リング部１５の外周面Ｇ（図６参照）よりも径方向外側に長さΔだけ長く位置するよう径方向外側における前記各係止片１８と前記上リング部１５の位置関係が設定されている。また、前記上リング部１５の外周面Ｇと前記環状枠部８の内周面８ａ間に形成される環状の隙間Ｊの径方向における幅ｉを、前記下リング部１６の外周面Ｑと前記環状枠部８の内周面８ａ間に形成される環状の隙間Ｗの径方向における幅ｇよりも小さく設定してある。すなわち、上リング部１５の外周面Ｇと環状枠部８の内周面８ａ間に形成される環状の隙間Ｊを小さな幅ｉのものに形成でき、ゴミ等の溜まりかたを少なくできる。
【００２５】
３０は、菊割れフタ１の上方開口７を覆うよう菊割れフタ１の底部６上に着脱自在に設置される合成樹脂製の蓋である。蓋３０は、平面視円形の蓋天板３１と、蓋天板３１の外周縁３１ａから下方に連設された環状の垂下板３２とで構成される。この垂下板３２の外周面は、蓋３０が菊割れフタ１の底部６上に設置されるときに、環状枠部８の内周面８ａにシール可能に嵌込まれるよう下へ行くほど小径になるよう傾斜するテーパ面に形成されている。そのため、底部６に設けた前記排水用長孔１０および丸孔９へ流し２に設置した水栓の蛇口から吐出する水、湯または混合水が漏れるのを防止でき、流し２のシンクＡに水、湯または混合水を溜めることができる。
【００２６】
以下この発明の特徴的構成について説明する。
【００２７】
前記薬剤設置部材１２がセットされる菊割れフタ１は、原料の例えばＥＰＤＭに着色剤を含ませ、かつ、例えばバイオフィルムの形成を阻害する薬剤を重量比で１〜３％添加して形成されている。なお、ＥＰＤＭに着色剤を含ませ、かつ、抗菌作用を有する粉末状の薬剤を重量比で２〜１０％添加して菊割れフタ１を形成してもよく、あるいは、ＥＰＤＭに着色剤を含ませ、かつ、バイオフィルムの形成を阻害する薬剤と抗菌作用を有する粉末状の薬剤の両方を適宜の量だけ添加して菊割れフタ１を形成してもよい。
【００２８】
また、前記ゴミ受けカゴ４および菊割れフタ被覆用蓋３０は、それぞれ、原料の例えばポリプロピレン（ＰＰ）に着色剤を含ませ、かつ、例えばバイオフィルムの形成を阻害する薬剤を重量比で１〜３％添加して形成されている。なお、ポリプロピレン（ＰＰ）に着色剤を含ませ、かつ、抗菌作用を有する粉末状の薬剤を重量比で２〜１０％添加してゴミ受けカゴ４および菊割れフタ被覆用蓋３０を形成してもよく、あるいは、ポリプロピレン（ＰＰ）に着色剤を含ませ、かつ、バイオフィルムの形成を阻害する薬剤と抗菌作用を有する粉末状の薬剤の両方を適宜の量だけ添加してゴミ受けカゴ４および菊割れフタ被覆用蓋３０を形成してもよい。
【００２９】
また、この実施例では、菊割れフタ１とゴミ受けカゴ４と蓋３０のうち、蓋３０に、生ゴミや下水からの異臭を消す消臭作用を有する薬剤（消臭剤）を重量比で２〜１０％添加している。前記消臭剤としては、例えば、東亜合成株式会社製のケスモン（商標）が用いられる。
この消臭剤は、別の市販の塩素系消臭薬剤のように当該薬剤から発生した塩素ガスにより排水口の異臭を消すのではなく、異臭を吸着により消す無機系の消臭剤である。また、前記市販の塩素系消臭薬剤は例えばゴミ受けカゴ４内に載置されて使用されるが、発生する前記塩素ガスはゴム製の菊割れフタ１の劣化の原因の一つになるおそれがあったり、前記塩素ガスにより健康上の問題も生じるという問題がある。しかし、この実施例で用いる前記無機系の消臭剤は異臭を吸着により消す機能を持つのでこのような懸念はなく、安全性が高い。なお、菊割れフタ１とゴミ受けカゴ４も、前記無機系の消臭剤を添加することにより形成してもよい。
【００３０】
而して、菊割れフタ用薬剤設置部材１２の収容部１７内から流出する薬剤１３の溶解液により、従来と同様に、ゴミ受けカゴ４、菊割れフタ１に付着している生ゴミ、あるいは、下水からの異臭を消すことができたり、ゴミ受けカゴ４、菊割れフタ１の殺菌を行って、ゴミ受けカゴ４、菊割れフタ１に付着しているヌメリを除去できる。
【００３１】
しかも、この発明では、バイオフィルムの形成を阻害する薬剤又は抗菌作用を有する薬剤を添加して菊割れフタ１を形成しているので、薬剤１３の溶解液の届かない箇所でも長年にわたりヌメリが生じ難いようにできる。例えば、菊割れフタ１の前記環状枠部８の二つの環状溝８ｃ，８ｄに従来はヌメリが付着していたが、この発明では、環状溝８ｃ，８ｄにもヌメリが発生するのを防止できるとともに、菊割れフタ１にヌメリが発生するのを長年にわたり抑えることができる。また、この発明では、ゴミ受けカゴ４にヌメリが発生するのを長年にわたり抑えることができる。さらに、流し２のシンクＡに水を溜めるために使用したり、流し２を使用しないときに菊割れフタ１を覆う蓋３０を、バイオフィルムの形成を阻害する薬剤又は抗菌作用を有する薬剤を添加して形成しているので、蓋３０にも長年にわたりヌメリが生じ難いようにできる。
【００３２】
なお、ゴミ受けカゴ４と菊割れフタ１と菊割れフタ１を覆う蓋３０のいずれか一つの部材にのみバイオフィルムの形成を阻害する薬剤又は抗菌作用を有する薬剤を添加した場合にもこの発明は適用できる。また、ゴミ受けカゴ４と菊割れフタ１と菊割れフタ１を覆う蓋３０のいずれか二つの部材にバイオフィルムの形成を阻害する薬剤又は抗菌作用を有する薬剤を添加した場合にもこの発明は適用できる。
また、ゴミ受けカゴ４にゴミ受けカゴ用薬剤設置部材をセットした場合や、菊割れフタ被覆用蓋３０に蓋用薬剤設置部材をセットした場合にもこの発明は適用できる。
また、消臭処理をゴミ受けカゴ４およぴ／または菊割れフタ１に施してもよい。
【００３３】
図９は、バイオフィルムの形成を阻害する薬剤又は抗菌作用を有する薬剤を添加した上記実施例で用いたゴミ受けカゴ４、バイオフィルムの形成を阻害する薬剤又は抗菌作用を有する薬剤を添加した上記実施例で用いた菊割れフタ１を設けた流しの排水機構において、ゴミ受けカゴ用薬剤設置部材３５を設けたこの発明の他の実施例を示す。なお、図９において、図１〜図８で用いた符号と同一のものは同一または相当物である。
【００３４】
図９において、３６は、ゴミ受けカゴ４の胴部本体４ａに上下に隣接した状態で形成した凹凸部である。この凹凸部３６は、胴部本体４ａの最上部に位置している。そして、この凹凸部３６を介して、ゴミ受けカゴ４には薬剤１３を収容する複数の収容部１７を備えたリング体１４のゴミ受けカゴ用薬剤設置部材３５が保持されている。リング体１４は薄肉の上リング部材１５と薄肉の下リング部材１６を接合することにより形成されている。下リング部材１６はゴミ受けカゴ４の前記凹凸部３６の凹部に係入可能な複数の水平突出片３７を有する。収容部１７はリング体１４がゴミ受けカゴ４に保持されている状態において収容部１７に形成された流出孔２１から流出する薬剤１３の溶解液をゴミ受けカゴ４の胴部本体４ａの表面ｎに案内するよう流出孔２１の直下に板状で側面視ほぼ三角形の溶解液案内片３８を有する。この溶解液案内片３８は収容部１７から下方に突出しており、流出孔２１直下の縦長部分３９の外辺を下方に延設してなる縦辺４０を有し、この縦辺４０の下端から内側に鋭角的に折れ曲がって形成された下辺４１を有する。そして、流出孔２１から流出した前記溶解液は縦長部分３９の表面から縦辺４０を介して下方に流れ、溶解液案内片３８に至るが、溶解液案内片３８の表面を伝わる溶解液が縦辺４０、下辺４１を介して胴部本体４ａの表面ｎに至るような縦辺４０と表面ｎ間に形成される隙間の間隔を形成するように、水平突出片３７の水平方向の長さが設定されている。また、ゴミ受けカゴ４の上方からリング体１４をはめ込む場合は、外力により複数の突出片３７あるいはリング体１４自体を弾性的に内側に変形させ、その後変形力を解除することで突出片３７を前記凹部に係合させることでリング体１４をゴミ受けカゴ４の上端周面部に弾性的に嵌合保持させることができる。なお、菊割れフタ１に菊割れフタ用薬剤設置部材１２をセットしてもよい。
【００３５】
なお、この発明は、流し２の排水口３に設置されている合成樹脂製のゴミ受けカゴ４と、このゴミ受けカゴ４を覆う状態で前記排水口３の上部に設けられ、前記ゴミ受けカゴ４に溜まるゴミをかくすための合成樹脂製のゴミかくし用蓋の少なくともいずれか一方が、バイオフィルムの形成を阻害する薬剤又は抗菌作用を有する薬剤を添加して形成される場合にも適用できる。この場合の各薬剤の添加量は上記実施例と同様に設定するのが好ましい。また、上記実施例と同様の消臭処理をゴミ受けカゴ４およぴ／またはゴミかくし用蓋に施してもよい。
【図面の簡単な説明】
【００３６】
【図１】この発明の一実施例において、菊割れフタ用薬剤設置部材をセットした菊割れフタとゴミ受けカゴの取り付け状態を示す構成説明図である。
【図２】上記実施例における菊割れフタとゴミ受けカゴの取り付け状態を示す図である。
【図３】上記実施例で用いた菊割れフタ用薬剤設置部材のリング体を内側から見た図である。
【図４】上記実施例で用いた菊割れフタ用薬剤設置部材のリング体を示す平面図である。
【図５】上記実施例で用いた菊割れフタ用薬剤設置部材のリング体を示す底面図である。
【図６】上記実施例で用いた菊割れフタ用薬剤設置部材のリング体における収容部を示す縦断面図である。
【図７】上記実施例で用いた菊割れフタ用薬剤設置部材のリング体における上リング部および下リング部の接合状態を示す縦断面図である。
【図８】上記実施例で用いた菊割れフタと菊割れフタ被覆用蓋とを示す分解斜視図である。
【図９】この発明の他の実施例において、受けカゴ用薬剤設置部材をセットしたゴミ受けカゴと菊割れフタの取り付け状態を示す構成説明図である。
【図１０】ゴミ受けカゴ収容容器の設置状態を示す構成説明図である。
【図１１】菊割れフタの設置状態を示す斜視図である。
【図１２】菊割れフタ用薬剤設置部材のリング体を内側から見た図である。
【図１３】菊割れフタと菊割れフタ被覆用蓋とを示す分解斜視図である。
【図１４】（Ａ）は、菊割れフタ被覆用蓋を示す平面図である。（Ｂ）は、菊割れフタ被覆用蓋を示す側面図である。
【図１５】菊割れフタとゴミ受けカゴの取り付け状態を示す図である。
【符号の説明】
【００３７】
１            菊割れフタ
２            流し
３            排水口
４            ゴミ受けカゴ
３０          菊割れフタ被覆用蓋
Ａ            流しのシンク
【図１】
2006233511.tif 000003
【図２】
2006233511.tif 000004
【図３】
2006233511.tif 000005
【図４】
2006233511.tif 000006
【図５】
2006233511.tif 000007
【図６】
2006233511.tif 000008
【図７】
2006233511.tif 000009
【図８】
2006233511.tif 000010
【図９】
2006233511.tif 000011
【図１０】
2006233511.tif 000012
【図１１】
2006233511.tif 000013
【図１２】
2006233511.tif 000014
【図１３】
2006233511.tif 000015
【図１４】
2006233511.tif 000016
【図１５】
2006233511.tif 000017